(57)【要約】【課題】筆記時に筆記角度や筆圧に気を配らなくても芯折れを防止できる筆記具を提供することを課題とする。【解決手段】軸筒２内に芯繰出機構４を配設し、芯繰出機構４を作動させることで軸筒２内の芯１１を軸筒２の前方に設けた先口３の先端部３ｄより繰り出すよう構成し、先口３の後方に、前端部１６ａが先口３の後段部３ｃと連設し且つ後端部１６ｂが軸筒２の内方に設けた連結部１１と係止する弾性変形部１６を設け、弾性変形部１６に外方へ膨出する膨出部１６ｄを形成した。【選択図】図２
2019081387.tif 000002
【特許請求の範囲】
【請求項１】
軸筒内に芯繰出機構を配設し、前記芯繰出機構を作動させることで前記軸筒内の芯を該軸筒の前方に設けた先口の先端部より繰り出す構造の筆記具において、前記先口の後方に、前端部が該先口の後方部と連設し且つ後端部が前記軸筒の内方に設けた連結部または前記芯繰出機構の前方部と連設する弾性変形部を設け、前記弾性変形部に外方へ膨出する膨出部を形成し、芯に筆圧が掛かった際、前記弾性変形部の膨出部が前記軸筒の内面に圧接されて弾性変形することで該弾性変形部の前端部と後端部との距離が軸心に沿った方向へ広がると共に、前記弾性変形部に連設した前記先口が前記芯繰出機構に対して前方へ移動し、前記芯の前端部が前記先口の先端部で保護されることを特徴とした筆記具
【請求項２】
前記軸筒の内面に内方へ突出した係止部を形成し、前記軸筒の係止部と前記連結部の外面に設けた被係止部とを係止し、前記軸筒の係止部を支点にして前記連結部材を軸心と直交方向に傾動可能に構成したことを特徴とする請求項１に記載の筆記具。
【請求項３】
前記芯繰出機構の前方に、側面が前記先口の内面と摺接するガイド部を連設したことを特徴とする請求項１または請求項２に記載の筆記具。
【請求項４】
前記弾性変形部の膨出部の少なくとも一部が前記軸筒の内面と常に当接するよう構成したことを特徴とする請求項１ないし請求項３のいずれか１項に記載の筆記具。
【請求項５】
前記弾性変形部の膨出部が複数の可撓片からなることを特徴とする請求項１ないし請求項４のいずれか１項に記載の筆記具。
【請求項６】
前記連結部材の前方部と前記芯繰出機構に設けた段部との間に弾発部材を配し、前記弾発部材により前記芯繰出機構を前方へ弾発したことを特徴とする請求項１ないし請求項５のいずれか１項に記載の筆記具。
【発明の詳細な説明】
【技術分野】
【０００１】
本発明は筆記具に関する。より詳細には、軸筒内に芯繰出機構を配設し、芯繰出機構を作動させることで軸筒内の芯を該軸筒の前方に設けた先口の先端部より繰り出す構造の筆記具に関する。
【背景技術】
【０００２】
従来より、鉛筆、色鉛筆及びクレヨンなどの筆記用の芯を繰り出す芯繰出機構を備えた筆記具が知られている。この芯繰出機構を備えた筆記具を用いて筆記する場合、芯繰出機構を操作することで筆記具の端部から芯を突出させる必要があるが、筆記具から突出させた芯は、芯の突出量が長くなると、突出した部分が折れてしまう場合があり、芯折れを防止する構造が重要視されている。
この芯折れ防止構造は、筆記具のなかでも細くて柔軟性が低く折れ易い芯を繰り出すシャープペンシルにおいて、特に求められる構造である。
【０００３】
芯折れを防止するシャープペンシルの構造としては、筆記時に一定以上の筆圧が芯に掛かると筆圧緩衝手段により芯折れを防止する技術が知られている。例えば、特許文献１には、芯に過大な筆圧が掛かると緩衝用のスプリングが収縮して芯を後退させ、芯折れを防止するシャープペンシルが記載されている。  
この特許文献１に記載されているシャープペンシルでは、芯を狭持するチャックの後方に固定した芯パイプに緩衝スプリングを嵌着しており、芯とチャックに対して軸心方向に過大な筆圧が掛かると緩衝スプリングが収縮してチャックと芯を後退させる構造となっている。そこで、シャープペンシルを筆記面に対して垂直に立てて筆記した場合、筆圧はそのまま芯を介して緩衝スプリングに伝えられるが、シャープペンシルを筆記面に対して傾けて筆記した場合、芯に掛かる筆圧は、芯の軸心方向に掛かる力が減少し、軸径方向に働く力が大きくなる。このため、シャープペンシルを筆記面に対して傾けて筆記すると、緩衝スプリングが収縮することなく、芯が筆圧に耐えることができずに折れてしまう虞があり、芯が折れないようにするにはシャープペンシルの筆記角度に気を配りながら筆記する必要があった。
【０００４】
前記特許文献１以外の構成として、特許文献２では、筆記時において芯に過大な筆圧が掛かった際、口金及び芯繰出機構を含めた筆記部が軸本体内の支点に対して傾動することで芯折れを防止するシャープペンシルが記載されている。
この特許文献２に記載されているシャープペンシルでは、筆記面に対して傾けて筆記した場合でも筆記部が傾動することで芯折れを防止できるが、筆記部が傾動した状態から更に筆圧を上げると芯に負荷が掛かって芯が折れる虞があり、筆圧に気を配りながら筆記する必要があった。
【先行技術文献】
【特許文献】
【０００５】
【特許文献１】実開昭５６−１３０８７４号公報
【特許文献２】特開２０１０−２６４６３８号公報
【発明の概要】
【発明が解決しようとする課題】
【０００６】
本発明は、前記問題を鑑みて、筆記時に筆記角度や筆圧に気を配らなくても芯折れを防止できる筆記具を提供することを課題とする。
【課題を解決するための手段】
【０００７】
本発明は、
「１．軸筒内に芯繰出機構を配設し、前記芯繰出機構を作動させることで前記軸筒内の芯を該軸筒の前方に設けた先口の先端部より繰り出す構造の筆記具において、前記先口の後方に、前端部が該先口の後方部と連設し且つ後端部が前記軸筒の内方に設けた連結部または前記芯繰出機構の前方部と連設する弾性変形部を設け、前記弾性変形部に外方へ膨出する膨出部を形成し、芯に筆圧が掛かった際、前記弾性変形部の膨出部が前記軸筒の内面に圧接されて弾性変形することで該弾性変形部の前端部と後端部との距離が軸心に沿った方向へ広がると共に、前記弾性変形部に連設した前記先口が前記芯繰出機構に対して前方へ移動し、前記芯の前端部が前記先口の先端部で保護されることを特徴とした筆記具。
２．前記軸筒の内面に内方へ突出した係止部を形成し、前記軸筒の係止部と前記連結部の外面に設けた被係止部とを係止し、前記軸筒の係止部を支点にして前記連結部材を軸心と直交方向に傾動可能に構成したことを特徴とする前記１項に記載の筆記具。
３．前記芯繰出機構の前方に、側面が前記先口の内面と摺接するガイド部を連設したことを特徴とする前記１項または２項に記載の筆記具。
４．前記弾性変形部の膨出部の少なくとも一部が前記軸筒の内面と常に当接するよう構成したことを特徴とする前記１項ないし３項のいずれか１項に記載の筆記具。
５．前記弾性変形部の膨出部が複数の可撓片からなることを特徴とする前記１項ないし４項のいずれか１項に記載の筆記具。
６．前記連結部材の前方部と前記芯繰出機構に設けた段部との間に弾発部材を配し、前記弾発部材により前記芯繰出機構を前方へ弾発したことを特徴とする前記１項ないし５項のいずれか１項に記載の筆記具。」である。  
【０００８】
本発明の筆記具は、鉛筆、色鉛筆、クレヨンなどの筆記用の芯を繰り出すことができる筆記具に用いることができ、好適には細くて柔軟性が低く折れやすい芯を繰り出すシャープペンシルに用いることできる。
前記シャープペンシルにおける芯繰出機構としては、公知のシャープペンシルの芯繰出構造を用いることができ、その操作方法は芯繰出機構の後部をノックすることで芯が繰り出される後端ノック式でもよく、芯繰出機構を側部からのノックすることで芯を繰り出すサイドノック式でもよい。
また、前記弾性変形部は先口の後方部に該先口と一体で形成してもよく、前記連結部の前方部または芯繰出機構の前方部に該連結部または該芯繰出機構と一体に形成してもよく、先口と連結部または芯繰出機構と弾性変形部とを各々別体で形成してそれぞれを連結させて構成してもよい。
【０００９】
弾性変形部の前端部と後端部との間に形成する膨出部の形状は、薄く形成することで撓んで弾性が得られる金属や硬質樹脂で膨出部を形成する場合と、それ自体が弾力性を有したゴムや発泡樹脂で膨出部を形成する場合とで異なる。
金属や硬質樹脂で膨出部を形成する場合には、その断面形状を軸筒内面への当接箇所を基点に前方と後方とが互いに漸次拡開する形状、例えば外方が先窄むように形成した三角形状、台形形状、円弧形状などを採用できる。いうまでもなく、膨出部が変形できるように、三角形状、台形形状に成形する場合には底辺部は設けず、円形形状に成形する場合には弦を設けず、膨出部の前方と後方とが自由に軸心に沿った方向に広がるようにする必要がある。
ゴムや発泡樹脂で膨出部を形成する場合には、その断面形状を外方が先窄み且つ中身がゴムや発泡樹脂で充填された三角形状、台形形状、円弧形状に形成し、軸筒内面への当接箇所を基点に膨出部全体が圧接され、内方へ潰れることで膨出部の前方と後方とが軸心に沿った方向に伸びるようにする必要がある。
【００１０】
本発明における連結部は、軸筒と芯繰出機構との間に設け、軸筒の軸心に芯繰出機構を配置させるものであり、連結部に形成した孔部に芯繰出機構の一部を挿通させることで該芯繰出機構の中心と軸筒の中心とを揃えるものである。
尚、連結部は、軸筒と一体あるいは別体で形成することができるが、芯繰出機構を軸筒の軸心に配置させるため、少なくとも連結部の一部を軸筒に対して動かないようにすることが肝要である。
【００１１】
軸筒に設けた係止部と連結部に設けた被係止部との係止手段は、係止部と被係止部とを圧入して嵌着してもよく、係止部と被係止部とに螺子を形成して螺着してもよく、軸筒の係止部に連結部材の被係止部を当接させて連結部材を軸筒に対して前方への移動ができないように係止してもよい。
また、連結部を傾動させる方法としては、連結部を合成樹脂などの軟質材で形成し、連結部が撓むことで傾動させる構成や、連結部を金属などの硬質材で形成し、軸筒の係止部を支点にして該連結部全体が傾くことができるように係止する構成でもよい。
更に、支点となる軸筒の係止部を軸筒の軸心方向における中央部の後方に形成することで、支点から連結部先端までの長さを長くすることができる。そうすることで、支点に対して連結部を撓ませた場合及び連結部全体を傾けた場合のどちらでも傾動させることが容易となるため好ましい。
【００１２】
また、芯繰出機構の前方に、側面が前記先口の内面と摺接するガイド部を連設することで、筆記時に弾性変形部が弾性変形して先口を前方に移動させる際、先口がガイド部の側面に沿って移動することで該先口がぐらつくことがなく、先口の軸心とガイド部の軸心が一致した状態を維持できるため、芯に負荷を掛けずに先口を摺動させることができる。
尚、ガイド部は芯繰出機構と一体的に形成してもよく、別体で形成してもよいが、先口と芯繰出機構との間で芯折れが発生した場合に折れた芯を取り除けるように、芯繰出機構とガイド部とを別体で形成し、且つ螺合等によりガイド部材と芯繰出機構または該芯繰出機構を内包した連結部とを着脱可能に構成することが好ましい。
【００１３】
また、弾性変形部の膨出部の少なくとも一部が前記軸筒の内面と常に当接するよう構成することで、芯に筆圧が掛かった際、弾性変形部の膨出部が弾性変形する一定の筆圧までは先口と共に芯を支えることができ、過大な負荷が芯に掛かった際、膨出部が即座に弾性変形を始め、先口を前方に押し出すため、芯折れする前に先口の先端部で芯を保護することができる。
【００１４】
更に、弾性変形部の膨出部を可撓性を有し同形状に形成した複数の可撓片により構成し、可撓片を外方に向かって膨出する鉤状または円弧状に形成することで、芯に筆圧が掛かった際、可撓片が軸筒の内面に圧接されて軸心方向に伸びるように弾性変形し、弾性変形部の前端部と後端部との距離を広げることができる。
また、複数の可撓片を膨出部の外周に均等に配設した場合には、芯に筆圧が掛かった際、筆記具の円周方向のどの位置を把持して筆記しても複数の可撓片の一つが軸筒内面に圧接されて弾性変形をはじめ、続けて隣設した他の可撓片が次々と弾性変形をはじめ、可撓片全体が軸心に沿って伸びることで先口を前方へ移動させることができ、筆記具を把持する位置に関係なく芯折れを防止することができる。  
【００１５】
前記連結部材の前方部と前記芯繰出機構に設けた段部との間に弾発部材を配し、前記弾発部材により前記芯繰出機構を前方へ弾発することで、筆記具を筆記面に対して垂直に近くなるように把持して筆記を行った際、筆圧が高くなると弾発部材が収縮することで芯繰出機構が後退し、芯が先口の先端部で保護され、芯折れを防止することができる。
ここで、筆記具を垂直に立てて筆記した場合、芯に掛かる筆圧はほぼ全て芯の軸心方向に掛かり、芯の軸径方向に掛かる力は限りなく小さくなるため、前記緩衝スプリングのみが作用して芯及び芯繰出機構を後退させて先口の先端部で芯を保護することができる。
また、筆記具の筆記角度を傾けるほど、芯の軸心方向に掛かる力が減少し、その分、芯の軸径方向に働く力が大きくなるため、先口を介して連結部及び芯繰出機構が傾動し、弾性変形部の膨出部が軸筒の内面に圧接されることで弾性変形し、先口が前方に移動することで芯を先口の先端部で保護するものとなる。したがって、筆記面に対して筆記具を傾けるほど筆圧は弾性変形部に伝わり易く、筆記面に対して筆記具を垂直に近づけるほど筆圧は緩衝スプリングに伝わり易くなる。
【発明の効果】
【００１６】
本発明では、筆記具を筆記面に対して傾けて筆記した際、芯に過大な筆圧が掛かっても先口が前方に移動することで芯を保護することができ、筆記時に筆記角度や筆圧に気を配らなくても芯折れを防止できる筆記具を提供することが可能になった。
【図面の簡単な説明】
【００１７】
【図１】本実施例のシャープペンシルの側面図である。
【図２】図１の縦端面図である。
【図３】要部を拡大した縦端面図である。
【図４】図４は、図３のＡ−Ａ線端面図である。
【図５】図２のシャープペンシルにおける弾性変形部材の端面図であり、図５Ａは、弾性変形部材の通常状態を示す端面図で、図５Ｂは、弾性変形部材が伸びた状態を示す端面図である。
【図６】図１のシャープペンシルの筆記角度を筆記面に対して６０°に傾けて筆記を行う状態を示した要部端面図である。
【図７】図６の筆記状態で芯に過大な筆圧が掛って先口が前方に移動した状態を示す要部端面図である。
【図８】図１のシャープペンシルを筆記面に対して垂直に立てて筆記を行う状態を示した要部端面図である。
【図９】図８の筆記状態で芯に過大な筆圧が掛って芯と芯繰出機構が後退した状態を示す要部端面図である。
【発明を実施するための形態】
【実施例】
【００１８】
以下、図１〜図９に基づいて本実施例の筆記具を説明する。尚、説明を分かり易くするために、図面中の同様の部材、同様の部分については同じ符号を付してある。本実施例の説明においては、筆記具として、シャープペンシルを用いて説明し、シャープペンシルの先口がある側を前方と表現し、その反対側を後方と表現する。
尚、本実施例におけるシャープペンシルでは、筆記する前の状態において軸筒の軸心と軸筒以外の部品の軸心とが一致した状態で構成する。
【００１９】
図１に示すように本実施例の筆記具であるシャープペンシル１は、軸筒２の前方に先口３を配し、先口３の後方でかつ軸筒２内に芯繰出機構を内蔵し、芯繰出機構で狭持される芯１１を先口３の先端部３ｄから突出させ、軸筒２の中に後方から挿入されたノック部材５を装着し、ノック部材５を前方に押圧することで芯１１が前方へ繰り出されるように構成してある。
【００２０】
次に図２及び図３を用いて本実施例のシャープペンシル１の各構成の説明を行う。芯繰出機構４について詳述すると、前後に貫通した貫通孔を有する筒状部材６の先端孔６ａに前部が複数に分割されたチャック７を挿入し、チャック７の頭部７ａに締具８を外嵌し、チャック７の後部にパイプ状の芯タンク９を圧入固着する。また、筒状部材６の内鍔６ｂと芯タンク９の前端との間に取付時荷重が４００ｇ程度のチャックスプリング１０を取り付け、チャック７と締具８と筒状部材６と芯タンク９とチャックスプリング１０とで芯１１を繰り出すための芯繰出機構４を構成する。  
【００２１】
また、前記芯出機構４は軸方向に延び中心に貫通孔を有する連結部材１２の先端内孔１２ａから挿入され、前記筒状部材６に設けた外鍔６ｃの段部６ｄと連結部材１２の先端内孔の段部１２ｂとの間に、取付時荷重３５０ｇ程度の緩衝スプリング１３を弾発部材として取り付け、連結部材１２の先端内孔の段部１２ｂに対して芯繰出機構４を前方に弾発してある。また、連結部材１２の前方に段状に形成した貫通孔を有するガイド部材１４を配設し、ガイド部材１４の後部に設けた雌螺子部１４ａと連結部材１２の前部に設けた第１の雄螺子部１２ｃとを着脱可能に螺着する。このとき、筒状部材６の外鍔６ｃがガイド部材１４の後段部１４ｂと当接し、芯繰出機構４の前方への移動が阻止される。更に、締具８は筒状部材６の前端部６ｅとガイド部材１４の内孔段部１４ｃとの間で長手方向に適宜移動可能に遊嵌される。
【００２２】
更に、連結部材１２は前記した軸筒２の前部内孔２ａから挿入され、軸筒２の後部内面２ｂに設けた段状の係止部２ｃに連結部材１２の後部の被係止部１２ｄを圧入固着してある。また、芯タンク９は連結部材１２の後端より後方へ突出するよう形成され、芯タンク９の後部に前記したノック部材５を着脱可能に装着する。
本実施例においては、連結部材１２及び芯繰出機構４の芯タンク９を軟質材である合成樹脂で形成することで、連結部材１２及び連結部材１２内に内包した芯繰出機構４の芯タンク９が撓み、係止部２ｃを支点にして連結部材１２と芯繰出機構４とが傾動するように構成される。
【００２３】
ガイド部材１４の前方に前記した先口３を配設し、先口３の内孔に設けた摺動部３ａにガイド部材１４の前部外周部１４ｄを挿入して、先口３をガイド部材１４の軸心に沿った方向へ摺動可能に構成してある。また、先口３の内孔の先段部３ｂには芯１１を１０ｇ程度の力で保持する芯保持部材１５が内蔵される。更に先口３と連結部材１２の間に、先口３と連結部材１２とを繋ぐ弾性変形部材１６を配設し、弾性変形部材１６の前部に筒状に形成した前端部１６ａを先口３の後段部３ｃに圧入固着するとともに、弾性変形部材１６の後部に筒状の後端部１６ｂを形成し、後端部１６ｂの内面に設けた雌螺子部１６ｃを連結部材１２の外周に設けた第２の雄螺子部１２ｅに着脱可能に螺着して連結させる。
【００２４】
弾性変形部材１６は図４及び図５Ａに示すように、膨出部１６ｄを外方に向かって膨出する８個の可撓片１６ｅで構成し、８個の可撓片１６ｅは膨出部１６ｄの外周上に均等に配置されて形成される。また、可撓片１６ｅは頂部１６ｆを外方に向かって膨出する鉤状に形成し、可撓片１６ｅの頂部１６ｆは軸筒２の前部内面２ｄに当接するよう構成される。更に、頂部１６ｆには凹状の溝部１６ｇを形成してあり、可撓片１６ｅの頂部１６ｆが軸筒２の前部内面２ｄに当接した際、溝部１６ｇにより頂部１６ｆは直線部１６ｈより薄く形成されていることから、図５Ｂのように頂部１６ｆを基点にして、直線部１６ｈを維持したまま可撓片１６ｅが軸心方向に伸びるように弾性変形し、弾性変形部材１６の前端部１６ａと後端部１６ｂとが互いに離れるように移動する。
本実施例において弾性変形部材１６は、金属材料を用いてプレス加工により成形し、可撓片１６ｅに３００ｇ程度の力が掛かったときに弾性変形が始まるようにした。
尚、弾性変形部材１６は軸筒２内に挿入される際、可撓片１６ｅの頂部１６ｆが軸筒２の前部内面２ｄに当接し、少し変形した状態で取り付けられる。これにより、軸筒２や弾性変形部材１６の寸法にばらつきが生じても可撓片１６ｅと軸筒２の前部内面２ｄとを当接させることができ、軸筒２の軸心と弾性変形部材１６及び弾性変形部材１６に固着している先口３の軸心とが一致した状態に誘導される
【００２５】
次に、図２を用いて本実施例のシャープペンシル１で芯１１を繰り出す状況を説明する。図２は芯１１を先口３の先端部３ｄより繰り出した状態を示した縦断面図であり、図２の
芯繰り出し状態において、筆記を行い芯１１が摩耗した場合には、ノック部材５を前方に押圧するノック操作を行うことで、芯タンク９と共にチャック７及び締具８が前進し、締具８が前進した距離だけ芯１１が繰り出される。その後、ガイド部材１４の内孔段部１４ｃに締具８が当接して締具８の前進が止まり、チャック７の頭部７ａが締具８から外れて拡開し、更にノックを続けるとチャック７の頭部７ａが芯保持部材１５に当接してチャック７の前進が停止する。
ノック部材５への押圧を緩めるとチャックスプリング１０が伸びることでチャック７が後退し、チャック７の頭部７ａが締具８に押圧され、チャック７が閉じられて再び芯１１を狭持し、図２の芯１１が先口３より繰り出された状態を維持して筆記を可能とする。
【００２６】
次に、図６及び図７を用いて本実施例のシャープペンシル１を筆記面１００に対して６０°傾けて筆記する場合を説明する。
図６のように、シャープペンシル１を筆記面１００に対して６０°傾けて筆記を行うと、通常の筆記圧（２００ｇ〜３００ｇ程度）では把持している軸筒２の軸心と先口３の軸心の位置が一致した状態で筆記することができ、３００ｇを超えた筆記圧が芯１１に掛かると、軸筒２の係止部２ｃ（図２参照）を支点にして連結部材１２及び芯繰出機構４が撓むことで先口３が前部内面２ｄに近づくように傾動する。更に、弾性変形部材１６における可撓片１６ｅの頂部１６ｆが軸筒２の前部内面２ｄに圧接されるため、可撓片１６ｅが鉤状から直線状に軸心に沿った方向へ伸びるように弾性変形し、弾性変形部材１６の前端部１６ａと後端部１６ｂとの距離が広がる。このとき、弾性変形部１６の後端部１６ｂは連結部材１２に螺着され、連結部材１２は軸筒２に圧入固着していることから、使用者が把持している軸筒２に対して連結部材１２が移動することはなく、弾性変形部材１６の前端部１６ａと共に先口３がガイド部材１４の前部外周部１４ｄに沿って前方へ移動することで、図７に示すように、先口３の先端部３ｄにより筆記中の芯１１が保護されて芯１１が折れることを防止できる。
図７の状態から芯１１に掛かる筆圧を解除すると、弾性変形することで直線状に伸びていた可撓片１６ｅが元の鉤状に戻るため、弾性変形部材１６に固定されている先口３も後退し芯１１が露出すると共に、傾動していた連結部材１２と芯繰出機構４の軸心が、軸筒２の軸心と一致するように移動し、図６の状態に戻る。
本実施例のシャープペンシル１は、筆記角度を傾けるほど芯に対する軸心方向へ力が減少し、芯の軸径方向に働く力が大きくなる。このため、シャープペンシル１を傾けるほど芯１１に掛かる筆圧は先口３を介して弾性変形部材１６に伝わり易くなり、弾性変形部材１６が芯１１の軸心方向に伸びるように弾性変形して先口３を前方に移動させ易くなる。
【００２７】
次に、図８及び図９を用いて、本実施例のシャープペンシル１を筆記面１００に対して垂直（９０°）に立てて筆記した場合について説明する
図８に示すように、シャープペンシル１を傾けずに筆記面１００に対して垂直に立てた状態で筆記を行う場合、シャープペンシル１を傾けて筆記しているときのように芯１１に掛かった筆圧は弾性変形部材１６にはほとんど伝わらないため、先口３が前進することはない。そこで、芯１１に３５０ｇ以上の筆圧が掛かると、芯１１を狭持している芯繰出機構４に力が伝わり、芯繰出機構４を前方に弾発している緩衝スプリング１３が収縮することで芯繰出機構４が後退する。このとき先口３の中段部３ｅはガイド部材１４の先端１４ｅと当接しているため後退することはなく、図９に示すように、先口３に対して芯１１と芯繰出機構４のみが後退し、先口３の先端部３ｄで芯１１が保護される。
図９の状態から芯１１に掛かる筆圧を解除すると、緩衝スプリング１３が伸びることで芯１１と芯繰出機構４が前進し、先口３の先端部３ｄから芯１１が突出して図８の状態に戻る。このとき、芯１１と共に芯１１を芯保持部材１５で保持している先口３も前進しようとするが、芯保持部材１５の芯保持力は１０ｇ程度と弱く設定しているため弾性変形部材１６の可撓片１６ｅを変形させることができず先口３が前方へ移動することはない。
【００２８】
また、シャープペンシル１を傾けて筆記する場合でも芯１１を介して芯繰出機構４に筆圧が伝わるため、緩衝スプリング１３が収縮することで芯１１及び芯１１を狭持している芯繰出機構４を後退させるが、シャープペンシル１を傾けるほど芯１１に掛かる筆圧のうち、芯１１の軸心方向に掛かる力は減少するため、緩衝スプリング１３を収縮するには緩衝スプリングの取付加重（３５０ｇ）より高い筆圧が必要になる。これは筆記角度を傾けるほど大きくなり、逆に筆記角度を垂直に近づけるほど取付加重（３５０ｇ）に近くなるものである。
つまり、本実施例における緩衝スプリング１３と弾性変形部材１６の関係性は、筆記角度を垂直に近づけるほど緩衝スプリング１３が収縮し易くなり、芯１１を後退させて芯１１を保護し、筆記角度を傾けるほど弾性変形部材１６に力が伝わり易くなり、弾性変形部材１６の可撓片１６ｅが伸びることで先口３を前進させ、芯１１を保護するものである。
したがって、高い筆記圧で筆記する場合でも筆記角度に気をつけることなく筆記することが可能な筆記具を提供することが可能となった。
【産業上の利用可能性】
【００２９】
本発明による筆記具の構造は、シャープペンシルの他、棒状物の繰出機構を有する色鉛筆、クレヨン、チョークなどの筆記可能な芯を繰り出す機構を有する筆記具などに使用が可能である。
【符号の説明】
【００３０】
１…シャープペンシル、
２…軸筒、２ａ…前部内孔、２ｂ…後部内面、２ｃ…係止部、２ｄ…前部内面、
３…先口、３ａ…摺動部、３ｂ…先段部、３ｃ…後段部、３ｄ…先端部、３ｅ…中段部、４…芯繰出機構、
５…ノック部材、
６…筒状部材、６ａ…先端口、６ｂ…内鍔、６ｃ…外鍔、６ｄ…段部、６ｅ…前端部、
７…チャック、７ａ…頭部、
８…締具、
９…芯タンク、
１０…チャックスプリング、
１１…芯、
１２…連結部材、１２ａ…先端内孔、１２ｂ…段部、１２ｃ…第１の雄螺子部、
１２ｄ…被係止部、１２ｅ…第２の雄螺子部、
１３…緩衝スプリング、
１４…ガイド部材、１４ａ…雌螺子部、１４ｂ…後段部、１４ｃ…内孔段部、
１４ｄ…前部外周部、１４ｅ…先端、
１５…芯保持部材、
１６…弾性変形部材、１６ａ…前端部、１６ｂ…後端部、１６ｃ…雌螺子部、
１６ｄ…膨出部、１６ｅ…可撓片、１６ｆ…頂部、１６ｇ…溝部、１６ｈ…直線部、
１００…筆記面。
【図１】
2019081387.tif 000003
【図２】
2019081387.tif 000004
【図３】
2019081387.tif 000005
【図４】
2019081387.tif 000006
【図５】
2019081387.tif 000007
【図６】
2019081387.tif 000008
【図７】
2019081387.tif 000009
【図８】
2019081387.tif 000010
【図９】
2019081387.tif 000011
【手続補正書】
【提出日】平成31年3月28日(2019.3.28)
【手続補正１】
【補正対象書類名】特許請求の範囲
【補正対象項目名】全文
【補正方法】変更
【補正の内容】
【特許請求の範囲】
【請求項１】
軸筒内に芯繰出機構を配設し、前記芯繰出機構を作動させることで前記軸筒内の芯を該軸筒の前方に設けた先口の先端部より繰り出す構造の筆記具において、
前記先口の後方に外方へ向って膨出する膨出部が形成され、前記膨出部は、前端部が該先口の後方部と連設し且つ後端部が前記軸筒の内方に設けた連結部または前記芯繰出機構の前方部と連設され、
前記芯に筆圧が掛かった際、前記膨出部が前記軸筒の内面に圧接されることで前記先口が前記芯繰出機構に対して前方へ移動し、前記芯の前端部が前記先口の先端部で保護されると共に、前記芯繰出機構の前方に、前記先口が軸心方向に沿って前進するためのガイド部が連設されたことを特徴とする筆記具。
【請求項２】
前記ガイド部が前記先口の後方に配設され、前記芯に筆圧が掛かった際、前記先口が前記ガイド部の外周部に摺接して前進するよう構成したことを特徴とする請求項１に記載の筆記具。
【請求項３】
前記軸筒の内面に内方へ突出した係止部を形成し、前記軸筒の係止部と前記連結部の外面に設けた被係止部とを係止し、前記軸筒の係止部を支点にして前記連結部材を軸心と直交方向に傾動可能に構成したことを特徴とする請求項１または２に記載の筆記具。
【請求項４】
前記膨出部の少なくとも一部が前記軸筒の内面と常に当接するよう構成したことを特徴とする請求項１ないし請求項３のいずれか１項に記載の筆記具。
【請求項５】
前記膨出部が弾性を有する弾性変形部を備えたことを特徴とする請求項１ないし４のいずれか１項に記載の筆記具。
【請求項６】
前記連結部材の前方部と前記芯繰出機構に設けた段部との間に弾発部材を配し、前記弾発部材により前記芯繰出機構を前方へ弾発したことを特徴とする請求項１ないし５のいずれか１項に記載の筆記具。
【手続補正２】
【補正対象書類名】明細書
【補正対象項目名】０００７
【補正方法】変更
【補正の内容】
【０００７】
本発明は、
「１．軸筒内に芯繰出機構を配設し、前記芯繰出機構を作動させることで前記軸筒内の芯を該軸筒の前方に設けた先口の先端部より繰り出す構造の筆記具において、
前記先口の後方に外方へ向って膨出する膨出部が形成され、前記膨出部は、前端部が該先口の後方部と連設し且つ後端部が前記軸筒の内方に設けた連結部または前記芯繰出機構の前方部と連設され、
前記芯に筆圧が掛かった際、前記膨出部が前記軸筒の内面に圧接されることで前記先口が前記芯繰出機構に対して前方へ移動し、前記芯の前端部が前記先口の先端部で保護されると共に、前記芯繰出機構の前方に、前記先口が軸心方向に沿って前進するためのガイド部が連設されたことを特徴とする筆記具。
２．前記ガイド部が前記先口の後方に配設され、前記芯に筆圧が掛かった際、前記先口が前記ガイド部の外周部に摺接して前進するよう構成したことを特徴とする前記１項に記載の筆記具。
３．前記軸筒の内面に内方へ突出した係止部を形成し、前記軸筒の係止部と前記連結部の外面に設けた被係止部とを係止し、前記軸筒の係止部を支点にして前記連結部材を軸心と直交方向に傾動可能に構成したことを特徴とする前記１項または２項に記載の筆記具。
４．前記膨出部の少なくとも一部が前記軸筒の内面と常に当接するよう構成したことを特徴とする前記１項ないし３項のいずれか１項に記載の筆記具。
５．前記膨出部が弾性を有する弾性変形部を備えたことを特徴とする前記１項ないし４項のいずれか１項に記載の筆記具。
６．前記連結部材の前方部と前記芯繰出機構に設けた段部との間に弾発部材を配し、前記弾発部材により前記芯繰出機構を前方へ弾発したことを特徴とする前記１項ないし５項のいずれか１項に記載の筆記具。」である。